(57)【要約】【課題】ＭＴＣにおけるカバレッジ拡張を実現することが可能な技術を提供する。【解決手段】ユーザ装置は、狭帯域で通信する無線通信システムにおいて、複数のリソースの各々が時間方向に繰り返し送信される回数を示す繰り返し回数と、所定のリソース数を示す情報とを取得する取得部と、基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信する受信部と、を有し、前記下り制御チャネル又は下り物理共有チャネルにおいて、下り制御情報又はトランスポートブロックを取得することができなかった場合、再送されるリソースを下り制御情報又はトランスポートブロックを取得するまで受信し、下り制御情報又はトランスポートブロックを取得することができた時点以降に送信されるリソースを受信しない。【選択図】図６
2018057050.tif 000002
【特許請求の範囲】
【請求項１】
狭帯域で通信する無線通信システムにおいて、所定の単位のリソースを時間方向に複数含む下り物理制御チャネル又は下り物理共有チャネルを用いて基地局と通信するユーザ装置であって、
複数のリソースの各々が時間方向に繰り返し送信される回数を示す繰り返し回数と、所定のリソース数を示す情報とを取得する取得部と、
前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信する受信部と、
を有し、
前記下り制御チャネル又は下り物理共有チャネルにおいて、リソースを受信して下り制御情報又はトランスポートブロックを取得することができなかった場合、再送されるリソースを下り制御情報又はトランスポートブロックを取得するまで受信し、
下り制御情報又はトランスポートブロックを取得することができた時点以降に送信されるリソースを受信しない
ユーザ装置。
【請求項２】
下り物理制御チャネル又は下り物理共有チャネルを構成する前記複数のリソースには参照信号がマッピングされ、
前記受信部は、受信した参照信号を用いてチャネル推定を行うことで復調を行う、
請求項１に記載のユーザ装置。
【請求項３】
前記狭帯域は１８０ｋＨｚの周波数帯域であり、
前記リソースは、１以上のサブフレーム若しくは１以上のスロット、及び１以上１２以下のサブキャリアで構成されるリソースである、
請求項１又は２に記載のユーザ装置。
【請求項４】
狭帯域で通信する無線通信システムにおいて、所定の単位のリソースを時間方向に複数含む下り物理制御チャネル又は下り物理共有チャネルを用いて基地局と通信するユーザ装置が実行する信号受信方法であって、
複数のリソースの各々が時間方向に繰り返し送信される回数を示す繰り返し回数と、所定のリソース数を示す情報とを取得するステップと、
前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信するステップと、
を有し、
前記下り制御チャネル又は下り物理共有チャネルにおいて、リソースを受信して下り制御情報又はトランスポートブロックを取得することができなかった場合、再送されるリソースを下り制御情報又はトランスポートブロックを取得するまで受信し、
下り制御情報又はトランスポートブロックを取得することができた時点以降に送信されるリソースを受信しない
信号受信方法。
【発明の詳細な説明】
【技術分野】
【０００１】
本発明は、ユーザ装置及び信号受信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている（非特許文献２）。標準化の中で、ＭＴＣに用いられる（ＭＴＣ）端末が備えるべき各種機能も検討されており、一例として、コスト削減を図るために送受信帯域幅を限定したＭＴＣ端末が検討されている。他の例として、ＭＴＣ端末は建物の奥深い場所や、地下などの建物侵入損が大きく、無線通信が困難な場所に配置される可能性があるため、カバレッジ拡張を目的としたＭＴＣ端末も検討されている。以上の２つの例に基づき、端末は次の４パターンに分類される。
１．送受信帯域幅の制限がなく、カバレッジ拡張機能を備えない端末
２．送受信帯域幅の制限があり、カバレッジ拡張機能を備えない端末
３．送受信帯域幅の制限がなく、カバレッジ拡張機能を備えた端末
４．送受信帯域幅の制限があり、カバレッジ拡張機能を備えた端末
ＭＴＣ端末（ＭＴＣ  ＵＥ（User  Equipment））は、例えば電気メータ、ガスメータ、自動販売機、車両、その他産業機器などの幅広い分野への利用が考えられている。
【先行技術文献】
【非特許文献】
【０００４】
【非特許文献１】3GPP  TS  36.300  "Evolved  Universal  Terrestrial  Radio  Access  (E-UTRA)  and  Evolved  Universal  Terrestrial  Radio  Access  Network  (E-UTRAN);  Overall  description;  Stage  2"
【非特許文献２】3GPP  TS  36.888   "Study  on  provision  of  low-cost  Machine-Type  Communications  (MTC)  User  Equipments  (UEs)  based  on  LTE  (Release  12)"
【非特許文献３】3GPP  RP-151621  "New Work Item: NarrowBand IOT (NB-IOT)"
【発明の概要】
【発明が解決しようとする課題】
【０００５】
３ＧＰＰのリリース１３において、例えば使用帯域を１８０ｋＨｚ以下に制限することで更なる低コスト化を実現するＭＴＣ端末に関する検討が開始されている（非特許文献３）。本検討に係るＷＩ（Work Item）は、ＮＢ−ＩｏＴ（Narrow Band-Internet of Things）と呼ばれている。ＮＢ−ＩｏＴでは、従来のＧＰＲＳ（General Packet Radio Service）の端末と比較して２０ｄＢ、従来のＬＴＥで規定されているカテゴリ１の端末と比較して２０ｄＢ以上のカバレッジ拡張を実現することを目標にしている。
【０００６】
ＮＢ−ＩｏＴでは、カバレッジ拡張を実現するために、同一信号を繰り返し送信する下り物理制御チャネル及び下り物理共有チャネルが用いられることが想定される。繰り返し方法については様々な方法が考えられるが、例えば、下り物理制御チャネル及び下り物理共有チャネルにおいて、ＤＣＩ（Downlink Control Information）及びＴＢ（Transport Block）がマッピングされた複数のリソースの信号を、当該複数のリソースの単位で単純に複数回繰り返すことが考えられる。図１（ａ）は、ＤＣＩがマッピングされるリソース（リソース「１」及びリソース「２」）の信号が単純に４回繰り返される場合の例を示しており、図１（ｂ）は、ＴＢがマッピングされるリソース（リソース「１」、リソース「２」及びリソース「３」）の信号が単純に４回繰り返される場合の例を示している。
【０００７】
一般的に、端末（ＭＴＣ端末も同様）が下り物理制御チャネルの復調を行う場合、各リソース内にマッピングされている参照信号を用いてチャネル推定を行い、チャネル変動量を補正した後に復調処理を行う。そのため、ＮＢ−ＩｏＴにおけるＭＴＣ端末は、カバレッジ拡張を実現するために、例えば、繰り返し送信されるリソースの信号を合成することで、チャネル推定に必要な参照信号のＳＮＲを確保することが考えられる。
【０００８】
しかしながら、図１に示す繰り返し送信方法では、同一のリソースの信号が送信されるサブフレーム位置が離れているため、時間の経過と共にチャネル変動量が徐々に変化してしまい、参照信号のＳＮＲを十分に確保することが出来ない可能性がある。なお、上記の課題は、ＮＢ−ＩｏＴのみならず、ＭＴＣに関する通信全般でも発生し得る。
【０００９】
開示の技術は上記に鑑みてなされたものであって、ＭＴＣにおけるカバレッジ拡張を実現することが可能な技術を提供することを目的とする。
【課題を解決するための手段】
【００１０】
開示の技術のユーザ装置は、狭帯域で通信する無線通信システムにおいて、所定の単位のリソースを時間方向に複数含む下り物理制御チャネル又は下り物理共有チャネルを用いて基地局と通信するユーザ装置であって、複数のリソースの各々が時間方向に繰り返し送信される回数を示す繰り返し回数と、所定のリソース数を示す情報とを取得する取得部と、前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信する受信部と、を有し、前記下り制御チャネル又は下り物理共有チャネルにおいて、リソースを受信して下り制御情報又はトランスポートブロックを取得することができなかった場合、再送されるリソースを下り制御情報又はトランスポートブロックを取得するまで受信し、下り制御情報又はトランスポートブロックを取得することができた時点以降に送信されるリソースを受信しない。
【発明の効果】
【００１１】
開示の技術によれば、ＭＴＣにおけるカバレッジ拡張を実現することが可能な技術が提供される。
【図面の簡単な説明】
【００１２】
【図１】課題を説明するための図である。
【図２】ＮＢ−ＩｏＴにおける使用帯域の設定例を示す図である。
【図３】ＮＢ−ＩｏＴで想定されるチャネル構成例を示す図である。
【図４】実施の形態に係る無線通信システムの構成例を示す図である。
【図５】実施の形態に係る無線通信システムの処理手順の一例を示すシーケンス図である。
【図６】下り物理制御チャネルにおける繰り返し送信方法（その１）の具体例を示す図である。
【図７】下り物理共有チャネルにおける繰り返し送信方法（その１）の具体例を示す図である。
【図８】下り物理制御チャネル及び下り物理共有チャネルにおける繰り返し送信方法（その２）の具体例を示す図である。
【図９】実施の形態に係る基地局の機能構成例を示す図である。
【図１０】実施の形態に係るユーザ装置の機能構成例を示す図である。
【図１１】実施の形態に係る基地局のハードウェア構成例を示す図である。
【図１２】実施の形態に係るユーザ装置のハードウェア構成例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１４】
また、本実施の形態に係る基地局及びユーザ装置は、ＮＢ−ＩｏＴで検討されている技術をサポートしている前提で説明するが、本発明はこれに限定されず、様々な通信方式に適用することができる。
【００１５】
ＮＢ−ＩｏＴでは、従来のＬＴＥのように１サブキャリアの帯域幅は１５ｋＨｚに限られず、これより小さい帯域幅（例えば、３．７５ｋＨｚ）を用いることも検討されている。従って、本実施の形態で用いるサブキャリアには、１５ｋＨｚ以外の帯域幅のサブキャリアを含む。
【００１６】
＜ＮＢ−ＩｏＴの概要＞
ＮＢ−ＩｏＴでは、使用帯域の配置方法として３つのシナリオが検討されている。１つ目のシナリオは、ＬＴＥのシステム帯域（例えば１０ＭＨｚ）のうち実際に送受信に利用可能な帯域（例えば９ＭＨｚ）内におけるいずれかの帯域を使用帯域に設定するシナリオであり、２つ目のシナリオは、ＬＴＥのシステム帯域のうち、ガードバンドに該当する帯域を使用帯域に設定するシナリオであり、３つ目のシナリオは、ＮＢ−ＩｏＴ専用の帯域を利用するシナリオである。図２は、１つ目のシナリオ及び２つ目のシナリオにおける使用帯域の設定例を示している。
【００１７】
従来のＬＴＥでは、ＰＲＢ（１２サブキャリア及び１スロットで構成されるリソース）を無線リソースの単位とし、ＰＲＢペアの単位（１ＴＴＩ）でスケジューリングが行われていた（１ＰＲＢペアのリソースに１つのＴＢがマッピングされていた）。一方、ＮＢ−ＩｏＴでは使用帯域が狭いことから、ＰＲＢやＰＲＢペアとは異なるリソース単位を規定することが検討されている。例えば、１サブキャリア及び１２サブフレームで構成されるリソースをリソース単位とする案、６サブキャリア及び６サブフレームで構成されるリソースをリソース単位とする案などである。また、従来のＬＴＥと同様の単位（ＰＲＢ、ＰＲＢペア）をそのまま適用することも検討されている。また、当該リソース単位は、１ＴＢをマッピング可能なリソースサイズ（従来のＬＴＥにおけるＰＲＢペアに相当）にする案や、１ＴＢを複数のリソース単位で送信するようなリソースサイズ（従来のＬＴＥにおけるＰＲＢに近い）にする案が提案されている。そこで、以下の説明において、スケジューリングに用いる無線リソースの最小単位であり、例えば、時間方向に１以上のサブフレーム（若しくは１以上のスロット）及び周波数方向に１以上１２以下のサブキャリアで構成されるリソースを、便宜上「リソースユニット（単位リソース）」と呼ぶ。
【００１８】
ＮＢ−ＩｏＴでは、使用帯域が狭いことから、周波数方向の無線リソースが少ない。そこで、下り物理制御チャネル及び下り物理共有チャネルにマッピング可能なデータサイズを確保するため、下り物理制御チャネル及び下り物理共有チャネルを時間多重（ＴＤＭ：Time Domain Multiplexing）するチャネル構成が採用されることが想定される。
【００１９】
図３は、ＮＢ−ＩｏＴで想定されるチャネル構成例を示す図である。ＮＢ−ＩｏＴにおける下り物理制御チャネルでは、１つの下り制御情報（ＤＣＩ）が、複数のリソースユニットにマッピングされるシナリオが想定される。図３（ａ）の例では１つのＤＣＩが２つのリソースユニットにマッピングされ、８つのＥＣＣＥが格納されている状態を示している。なお、ＥＣＣＥの数は一例であり、これに限られない。また、Ｅ−ＰＤＣＣＨを例にＥＣＣＥを用いているが、ＰＤＣＣＨで使用されているＣＣＥを用いても良いし、ＮＢ−ＩｏＴ用に新たに検討されているＮＢ−ＰＤＣＣＨ用の割り当て単位を用いても良い。同様に、ＮＢ−ＩｏＴにおける下り物理共有チャネルでも、例えば図３（ｂ）に示すように、１つのＴＢが、複数のリソースユニットにマッピングされるシナリオが想定される。図３（ｃ）は、下り物理制御チャネル及び下り物理共有チャネルが時間多重されたＮＢ−ＩｏＴのチャネル構成例を示している。
【００２０】
更に、ＮＢ−ＩｏＴでは、前述のように更なるカバレッジ拡張を目標としているため、セル端でのＳＮＲ（Signal to Noise Ratio）を確保するために、下り物理制御チャネル及び下り物理共有チャネルにおいて同一の信号、あるいは同一情報データでありRedundancy Version (RV)が異なる信号が繰り返し送信（Repetition）されるシナリオが想定される。
【００２１】
＜システム構成＞
図４は、実施の形態に係る無線通信システムの構成例を示す図である。図４に示すように、実施の形態に係る無線通信システムは、基地局ｅＮＢとユーザ装置ＵＥとを有する。図４の例では、基地局ｅＮＢ及びユーザ装置ＵＥが１つずつ図示されているが、複数の基地局ｅＮＢを有していてもよいし、複数のユーザ装置ＵＥを有していてもよい。
【００２２】
基地局ｅＮＢ及びユーザ装置ＵＥは、所定の帯域（例えば、１８０ｋＨｚ）を用いてＤＬ（Downlink）及びＵＬ（Uplink）の通信を行う。所定の帯域は、前述の通り、ＬＴＥのシステム帯域のうち実際に送受信に利用可能な帯域内におけるいずれかの帯域であってもよいし、ＬＴＥのシステム帯域のうちガードバンドに該当する帯域であってもよいし、ＮＢ−ＩｏＴ専用の帯域であってもよい。また、当該所定の帯域は、ユーザ装置ＵＥ毎に異なる帯域であってもよい。
【００２３】
本実施の形態では、所定の帯域内で、下り制御情報（ＤＣＩ）の送信に用いられる下り物理制御チャネル、及び、ユーザデータ（ＴＢ）等の送信に用いられる下り物理共有チャネルの送受信が行われることを想定している。なお、本実施の形態における下り物理制御チャネル及び下り物理共有チャネルは、それぞれ、ＰＤＣＣＨ（Physical Downlink Control Channel）及びＰＤＳＣＨ（Physical Downlink Shared Channel）と呼ばれてもよいし、ＭＰＤＣＣＨ（MTC PDCCH）及びＭＰＤＳＣＨ（MTC PDSCH）と呼ばれてもよいし、ＮＢ−ＰＤＣＣＨ（Narrow Band PDCCH）及びＮＢ−ＰＤＳＣＨ（Narrow Band PDSCH）と呼ばれてもよい。また、これに限られず、他の名称で呼ばれてもよい。
【００２４】
基地局ｅＮＢは、既存のＬＴＥにおける通信方式をサポートするように構成されていてもよいし、ＮＢ−ＩｏＴに関する機能のみサポートするように構成されていてもよい。ユーザ装置ＵＥは、ＮＢ−ＩｏＴ端末と呼ばれてもよいし、ＭＴＣ端末と呼ばれてもよいし、サポートする帯域が限定されるユーザ装置ＵＥと呼ばれてもよい。
【００２５】
＜処理手順＞
本実施の形態では、前述の通り、スケジューリングに用いる無線リソースの最小単位であり、例えば、時間方向に１以上のサブフレーム（若しくは１以上のスロット）及び周波数方向に１以上１２以下のサブキャリアで構成されるリソースを、便宜上「リソースユニット」と呼ぶ。なお、「リソースユニット」の名称はこれに限られず、他の名称であってもよい。また、繰り返し送信される"同一の信号"とは、同一情報データでありＲＶが異なる信号を含む意味で使用する。また、"信号"とは、特に断りが無い限り、無線信号全般、すなわち、変調前の無線信号や変調後の無線信号等を含む意味で使用する。
【００２６】
（処理シーケンス）
図５は、実施の形態に係る無線通信システムの処理手順の一例を示すシーケンス図である。本実施の形態では、基地局ｅＮＢは、下り物理制御チャネル及び下り物理共有チャネルにおいて、後述する方法に基づき、ＤＣＩ及びＴＢがマッピングされる複数のリソースユニットの各々の信号を複数回繰り返し送信するように動作する。また、ユーザ装置ＵＥは、後述する方法に基づき、繰り返し送信されるリソースユニットの信号を合成することで、チャネル推定に必要な参照信号のＳＮＲを確保しつつ、ＤＣＩ及びＴＢの復調を行うように動作する。
【００２７】
このような動作を実現するため、ユーザ装置ＵＥは、下り物理制御チャネル及び下り物理共有チャネルにおいて、基地局ｅＮＢからどのような方法でリソースユニットが繰り返し送信されるのかを示す情報（以下、「繰り返し送信方法を示す情報」と呼ぶ）を事前に把握しておく。「繰り返し送信方法を示す情報」は、ユーザ装置ＵＥに事前設定（プリコンフィギュア：Pre-Configure）されていてもよいし、３ＧＰＰの標準仕様として規定されていてもよいし、上位レイヤの信号（例えば、ＲＲＣメッセージ又は報知情報）を用いて基地局ｅＮＢからユーザ装置ＵＥに通知されるようにしてもよい（Ｓ１１）。また、「繰り返し送信方法を示す情報」の一部は３ＧＰＰの標準仕様として規定され、残りをユーザ装置ＵＥに事前設定又は基地局ｅＮＢからユーザ装置ＵＥに通知されるようにしてもよい。
【００２８】
「繰り返し送信方法を示す情報」には、ＤＣＩがマッピングされる複数のリソースユニット数、ＤＣＩがマッピングされる"複数のリソースユニット"の各々の信号が繰り返し送信される回数、ＴＢがマッピングされる複数のリソースユニット数、ＴＢがマッピングされる"複数のリソースユニット"の信号が繰り返し送信される回数、下り物理制御チャネルの送信が開始されるサブフレーム位置を示す情報（サブフレーム番号、サブフレーム番号及び無線フレーム番号、又は、サブフレーム番号又は／及び無線フレーム番号を特定する際に用いられる所定の計算式に代入するパラメータなど）が含まれる。
【００２９】
基地局ｅＮＢは、下り物理制御チャネル及び下り物理共有チャネルにおいて、ＤＣＩ及びＴＢがマッピングされる複数のリソースユニットの各々の信号を複数回繰り返し送信する（Ｓ１２）。また、基地局ｅＮＢは、各リソースユニット内の所定のリソースエレメントに参照信号をマッピングして送信する。参照信号がマッピングされるリソースエレメントの位置は、ユーザ装置ＵＥとの間で予め規定された位置であればどのような位置であってもよい。なお、参照信号には、セル固有参照信号（ＣＲＳ：Cell Specific Reference Signal）、ＵＥ固有参照信号（ＵＥ−ｓｐｅｃｉｆｉｃＲＳ：UE-specific-Reference Signal）、又は／及び復調参照信号（ＤＭ−ＲＳ：Demodulation Reference Signal）を含む。
【００３０】
なお、「繰り返し送信方法を示す情報」の一部はＤＣＩにより送信されるようにしてもよい。例えば、ＴＢがマッピングされる複数のリソースユニットの信号が繰り返し送信される回数についてはＤＣＩに含めるようにすることで、ＴＢがマッピングされる複数のリソースユニットの信号の繰り返し回数をダイナミックに制御することを可能にしてもよい。
【００３１】
同様に、例えば、ＤＣＩがマッピングされる複数のリソースユニットの信号が繰り返し送信される回数についてもＤＣＩに含めるようにすることで、ＤＣＩを受信できたユーザ装置ＵＥが繰り返し回数を認識できるようにしてもよい。
【００３２】
また、「繰り返し送信方法を示す情報」には、ＴＢがマッピングされる複数のリソースユニットの各々の信号が繰り返し送信される最大回数（例えば１００回など）を含めるようにしておき、実際の繰り返し回数についてはＤＣＩに含めるようにすることで、繰り返し送信される可能性のある回数をユーザ装置ＵＥに認識させつつ、ＴＢがマッピングされる複数のリソースユニットの信号における実際の繰り返し回数をダイナミックに制御することを可能にしてもよい。
【００３３】
同様に、例えば、「繰り返し送信方法を示す情報」には、ＤＣＩがマッピングされる複数のリソースユニットの各々の信号が繰り返し送信される最大回数（例えば１００回など）を含めるようにしておき、実際の繰り返し回数についてはＤＣＩに含めるようにすることで、繰り返し送信される可能性のある回数をユーザ装置ＵＥに認識させつつ、ＤＣＩを受信できたユーザ装置ＵＥが実際の繰り返し回数を認識できるようにしてもよい。
【００３４】
また、基地局ｅＮＢは、下り物理共有チャネルの送信が開始されるサブフレーム位置を示す情報をＤＣＩに含めることで、ユーザ装置ＵＥが下り物理共有チャネルの送信が開始されるサブフレームを認識可能にしてもよいし、ユーザ装置ＵＥで認識（算出）するようにしてもよい。例えば、ユーザ装置ＵＥは、下り物理制御チャネルの送信が開始されるサブフレーム位置と下り物理制御チャネルの送信に用いられるサブフレーム数（例えば、「ＤＣＩがマッピングされる複数のリソースユニット数」×「ＤＣＩがマッピングされる複数のリソースユニットが繰り返し送信される回数」で算出）とを用いて下り物理制御チャネルの送信が完了するサブフレームの位置を算出し、下り物理制御チャネルの送信が完了するサブフレームの次のサブフレーム（又は下り物理制御チャネルの送信が完了するサブフレームから所定のサブフレーム経過後のサブフレーム）を下り物理共有チャネルの送信が開始されるサブフレームであると認識するようにしてもよい。
【００３５】
（繰り返し送信方法（その１））
続いて、下り物理制御チャネル及び下り物理共有チャネルにおいて、ＤＣＩ及びＴＢがマッピングされる複数のリソースユニットの各々の信号を複数回繰り返し送信する際の具体的な方法について説明する。
【００３６】
繰り返し送信方法（その１）では、基地局ｅＮＢは、下り物理制御チャネル／下り物理共有チャネルにおいて、ＤＣＩ／ＴＢがマッピングされる複数のリソースユニットの各々の信号を、それぞれのリソースユニットの信号毎にまとめて繰り返し送信するように動作する。
【００３７】
また、ユーザ装置ＵＥは、リソースユニット毎にまとめて繰り返し送信されるそれぞれのリソースユニットの信号を合成すると共に、合成後のそれぞれのリソースユニットに含まれる参照信号を用いてチャネル推定及びチャネル変動量の補正を行う。続いて、ユーザ装置ＵＥは、チャネル変動量が補正された合成後のそれぞれのリソースユニットの信号に対して復調処理を行うことでＤＣＩ／ＴＢを受信（取得）する。
【００３８】
図６は、下り物理制御チャネルにおける繰り返し送信方法（その１）の具体例を示す図である。なお、図６の例では、ＤＣＩがマッピングされる複数のリソースユニット数が２つである場合（つまり、図３（ａ）に示す形態）を例に説明するが、これに限られない。本実施の形態は、ＤＣＩがマッピングされる複数のリソースユニット数が３以上である場合にも適用できる。
【００３９】
図６（ａ）は、ＤＣＩがマッピングされる複数のリソースユニットの各々の信号が繰り返し送信される回数が「４回」である場合における具体例を示している。基地局ｅＮＢは、ＤＣＩがマッピングされる２つのリソースユニットのうち、最初のリソースユニット「１」の信号を４回繰り返し送信し、リソースユニット「１」の信号の送信が完了した後で次のリソースユニット「２」の信号を４回繰り返し送信する。
【００４０】
ユーザ装置ＵＥは、受信した４つのリソースユニット「１」の信号を合成すると共に、合成後のリソースユニット「１」に含まれる参照信号を用いて、合成後のリソースユニット「１」の信号に対するチャネル推定及びチャネル変動量の補正を行う。同様に、ユーザ装置ＵＥは、受信した４つのリソースユニット「２」の信号を合成すると共に、合成後のリソースユニット「２」に含まれる参照信号を用いて合成後のリソースユニット「２」の信号に対するチャネル推定及びチャネル変動量の補正を行う。続いて、ユーザ装置ＵＥは、チャネル変動量が補正されたリソースユニット「１」の信号及びリソースユニット「２」の信号に対して復調処理を行うことでＤＣＩを受信（取得）する。
【００４１】
同様に、図６（ｂ）は、ＤＣＩがマッピングされる複数のリソースユニットの各々の信号が繰り返し送信される回数が「８回」である場合における具体例を示している。基地局ｅＮＢ及びユーザ装置ＵＥの動作については図６（ａ）と同様であるため説明は省略する。
【００４２】
図７は、下り物理共有チャネルにおける繰り返し送信方法（その１）の具体例を示す図である。なお、図７の例では、ＴＢがマッピングされる複数のリソースユニット数が３つである場合（つまり、図３（ｂ）に示す形態）を例に説明するが、これに限られない。本実施の形態は、ＴＢがマッピングされる複数のリソースユニット数が２又は４以上である場合にも適用できる。
【００４３】
図７（ａ）は、ＴＢがマッピングされる複数のリソースユニットの各々の信号が繰り返し送信される回数が「４回」である場合における具体例を示している。基地局ｅＮＢは、ＴＢがマッピングされる３つのリソースユニットのうち、最初のリソースユニット「１」の信号を４回繰り返し送信し、リソースユニット「１」の信号の送信が完了した後で次のリソースユニット「２」の信号を４回繰り返し送信する。また、基地局ｅＮＢは、リソースユニット「２」の信号の送信が完了した後で次のリソースユニット「３」の信号を４回繰り返し送信する。
【００４４】
ユーザ装置ＵＥは、受信した４つのリソースユニット「１」の信号を合成すると共に、合成後のリソースユニット「１」に含まれる参照信号を用いて、合成後のリソースユニット「１」の信号に対するチャネル推定及びチャネル変動量の補正を行う。同様に、ユーザ装置ＵＥは、受信した４つのリソースユニット「２」の信号を合成すると共に、合成後のリソースユニット「２」に含まれる参照信号を用いて合成後のリソースユニット「２」の信号に対するチャネル推定及びチャネル変動量の補正を行う。同様に、ユーザ装置ＵＥは、受信した４つのリソースユニット「３」の信号を合成すると共に、合成後のリソースユニット「３」に含まれる参照信号を用いて合成後のリソースユニット「３」の信号に対するチャネル推定及びチャネル変動量の補正を行う。続いて、ユーザ装置ＵＥは、チャネル変動量が補正されたリソースユニット「１」の信号、リソースユニット「２」の信号及びリソースユニット「３」の信号に対して復調処理を行うことでＴＢを受信（取得）する。
【００４５】
図７（ｂ）は、ＴＢがマッピングされる複数のリソースユニットの各々の信号が繰り返し送信される回数が「８回」である場合における具体例を示している。基地局ｅＮＢ及びユーザ装置ＵＥの動作については図７（ａ）と同様であるため説明は省略する。
【００４６】
以上説明した繰り返し送信方法（その１）では、前述の図１に示した繰り返し送信方法と異なり、同一の信号が含まれるリソースユニットが時間方向で隣接することになる。従って、合成されるリソースユニット間のチャネル変動量を抑えることができ、例えばセル端などにおいて、チャネル推定に用いる参照信号のＳＮＲを確保することが可能になり、その結果、カバレッジ拡張が実現されることになる。
【００４７】
（繰り返し送信方法（その１）の変形例）
例えば、繰り返し回数が１００回であり、１リソースユニットが１サブフレームで構成されている場合、繰り返し送信方法（その１）では、１００ｍｓの間で連続して送信される１００個のリソースユニットの信号が合成されることになる。つまり、繰り返し回数が多い場合、繰り返し送信方法（その１）では、時間の経過と共にチャネル変動量が徐々に変化してしまい、合成後のリソースユニットに含まれる参照信号のＳＮＲを十分に確保することが出来ない可能性がある。そこで、基地局ｅＮＢからユーザ装置ＵＥに対して、チャネル推定を行うために合成するサブフレーム数に関する情報（例えば、所定の上限数など）を上位レイヤ信号やＤＣＩを用いて別途通知しても良い。
【００４８】
（繰り返し送信方法（その２））
続いて、繰り返し送信方法（その２）について説明する。繰り返し送信方法（その１）では、ＤＣＩ／ＴＢがマッピングされる複数のリソースユニットの各々の信号が繰り返し送信される回数が大きい場合、合成対象である連続したリソースユニットのうち、最初に送信されるリソースユニットと、最後に送信されるリソースユニットとの間の送信時間が離れてしまうことになる。例えば、繰り返し回数が１００回であり、１リソースユニットが１サブフレームで構成されている場合、繰り返し送信方法（その１）では、１００ｍｓの間で連続して送信される１００個のリソースユニットの信号が合成されることになる。従って、１００個以内で復号できる場合においても、物理制御チャネルや物理共有データチャネルを最後まで受信する必要があり、バッテリー消費を低減することができない。
【００４９】
そこで、繰り返し送信方法（その２）では、ユーザ装置ＵＥがチャネル推定を行うために用いる（合成する）リソースユニット数を限定すると共に、物理制御チャネルや物理共有データチャネルを最後まで受信しなくてもＤＣＩ又はＴＢを取得できるようにする。具体的には、ユーザ装置ＵＥがチャネル推定を行うために用いる（合成する）リソースユニット数を例えば「Ｘ」と定義し、「Ｘ」の値をユーザ装置ＵＥと基地局ｅＮＢとの間で予め共有しておくようにする。「Ｘ」の値は、「繰り返し送信方法を示す情報」に含まれていてもよい。すなわち、「Ｘ」の値は、ユーザ装置ＵＥに事前に設定（プリコンフィギュア：Pre-Configure）されていてもよいし、３ＧＰＰの標準仕様として規定されていてもよいし、基地局ｅＮＢからユーザ装置ＵＥに通知されるようにしてもよい。「Ｘ」の値は、下り物理制御チャネルと下り物理共有チャネルとで独立して設定可能であってもよいし共通であってもよい。なお、「Ｘ」は、ユーザ装置ＵＥがチャネル推定を行うために用いる（合成する）リソースユニット数に代えて、他の名称で呼ばれてもよい。
【００５０】
繰り返し送信方法（その２）では、基地局ｅＮＢは、下り物理制御チャネル／下り物理共有チャネルにおいて、ＤＣＩ／ＴＢがマッピングされる複数のリソースユニットの各々の信号を、それぞれのリソースユニットの信号毎に「Ｘ」の値の回数分まとめて繰り返し送信するように動作すると共に、当該動作を、"ＤＣＩ／ＴＢがマッピングされる複数のリソースユニットの各々の信号が繰り返し送信される回数"分、各々のリソースユニットの信号が送信されるまで繰り返すようにする。
【００５１】
また、ユーザ装置ＵＥは、リソースユニット毎に「Ｘ」の値の回数分まとめて繰り返し送信されるそれぞれのリソースユニットの信号を合成すると共に、合成後のそれぞれのリソースユニットに含まれる参照信号を用いてチャネル推定及びチャネル変動量の補正を行うように動作する。また、ユーザ装置ＵＥは、当該動作を、ＤＣＩ／ＴＢがマッピングされる複数のリソースユニットの各々の信号に対して行った時点で、チャネル変動量が補正された合成後のそれぞれのリソースユニットの信号に対して復調処理を行うことでＤＣＩ／ＴＢを受信（取得）する。
【００５２】
図８は、下り物理制御チャネル及び下り物理共有チャネルにおける繰り返し送信方法（その２）の具体例を示す図である。
【００５３】
図８（ａ）は、ＤＣＩがマッピングされる複数のリソースユニットの各々の信号が繰り返し送信される回数が「８回」であり、「Ｘ」の値が４である場合の具体例を示している。基地局ｅＮＢは、ＤＣＩがマッピングされる２つのリソースユニットのうち、最初のリソースユニット「１」の信号をＸ回（すなわち４回）繰り返し送信し、続いて、次のリソースユニット「２」の信号をＸ回（すなわち４回）繰り返し送信する。更に、基地局ｅＮＢは、最初のリソースユニット「１」の信号をＸ回（すなわち４回）繰り返し送信し、続いて、次のリソースユニット「２」の信号をＸ回（すなわち４回）繰り返し送信する。
【００５４】
つまり、図８（ａ）の例では、ＤＣＩがマッピングされる複数のリソースユニットの各々の信号が繰り返し送信される回数は図６（ｂ）の例と同様に「８回」であるものの、同一のリソースユニットの信号が連続して繰り返し送信される数は、最大でも「Ｘ」回（すなわち４回）に限定されることになる。
【００５５】
ユーザ装置ＵＥは、受信した複数のリソースユニットのうち、「Ｘ」の数（すなわち４つ）分のリソースユニット「１」の信号を合成すると共に、合成後のリソースユニット「１」に含まれる参照信号を用いて、合成後のリソースユニット「１」の信号に対するチャネル推定及びチャネル変動量の補正を行う。更に、ユーザ装置ＵＥは、次の「Ｘ」の数（すなわち４つ）分のリソースユニット「２」の信号を合成すると共に、合成後のリソースユニット「２」に含まれる参照信号を用いて合成後のリソースユニット「２」の信号に対するチャネル推定及びチャネル変動量の補正を行う。続いて、ユーザ装置ＵＥは、チャネル変動量が補正されたリソースユニット「１」の信号及びリソースユニット「２」の信号に対して復調処理を行うことでＤＣＩを受信（取得）する。
【００５６】
仮にチャネル推定精度が低く、正しくＤＣＩを受信（取得）することが出来なかった場合、ユーザ装置ＵＥは、ＤＣＩを受信（取得）することができるまで上記の動作を繰り返し行う。図８（ａ）の例では、ユーザ装置ＵＥは、上記の動作を２回繰り返し行うことが可能である。
【００５７】
図８（ｂ）は、ＴＢがマッピングされる複数のリソースユニットの各々の信号が繰り返し送信される回数が「８回」であり、「Ｘ」の値が４である場合の具体例を示している。基地局ｅＮＢは、ＴＢがマッピングされる３つのリソースユニットのうち、最初のリソースユニット「１」の信号をＸ回（すなわち４回）繰り返し送信し、次のリソースユニット「２」の信号をＸ回（すなわち４回）繰り返し送信し、次のリソースユニット「３」の信号をＸ回（すなわち４回）繰り返し送信する。更に、基地局ｅＮＢは、最初のリソースユニット「１」の信号をＸ回（すなわち４回）繰り返し送信し、次のリソースユニット「２」の信号をＸ回（すなわち４回）繰り返し送信し、次のリソースユニット「３」の信号をＸ回（すなわち４回）繰り返し送信する。
【００５８】
つまり、図８（ｂ）の例では、ＴＢがマッピングされる複数のリソースユニットの各々の信号が繰り返し送信される回数は図７（ｂ）の例と同様に「８回」であるものの、同一のリソースユニットの信号が連続して繰り返し送信される数は、最大でも「Ｘ」回（すなわち４回）に限定されることになる。
【００５９】
ユーザ装置ＵＥは、受信した複数のリソースユニットのうち、「Ｘ」の数（すなわち４つ）分のリソースユニット「１」の信号を合成すると共に、合成後のリソースユニット「１」に含まれる参照信号を用いて、合成後のリソースユニット「１」の信号に対するチャネル推定及びチャネル変動量の補正を行う。更に、ユーザ装置ＵＥは、次の「Ｘ」の数（すなわち４つ）分のリソースユニット「２」の信号を合成すると共に、合成後のリソースユニット「２」に含まれる参照信号を用いて合成後のリソースユニット「２」の信号に対するチャネル推定及びチャネル変動量の補正を行う。更に、ユーザ装置ＵＥは、次の「Ｘ」の数（すなわち４つ）分のリソースユニット「３」の信号を合成すると共に、合成後のリソースユニット「３」に含まれる参照信号を用いて合成後のリソースユニット「３」の信号に対するチャネル推定及びチャネル変動量の補正を行う。続いて、ユーザ装置ＵＥは、チャネル変動量が補正されたリソースユニット「１」の信号、リソースユニット「２」の信号及びリソースユニット「３」の信号に対して復調処理を行うことでＴＢを受信（取得）する。
【００６０】
仮にチャネル推定精度が低く、正しくＴＢを受信（取得）することが出来なかった場合、ユーザ装置ＵＥは、ＴＢを受信（取得）することができるまで上記の動作を繰り返し行う。図８（ｂ）の例では、ユーザ装置ＵＥは、上記の動作を２回繰り返し行うことが可能である。
【００６１】
以上説明した繰り返し送信方法（その２）では、ユーザ装置ＵＥがチャネル推定を行うために用いる（合成する）リソースユニット数は、最大でも「Ｘ」の数に限定されることになる。従って、ＤＣＩ／ＴＢがマッピングされる複数のリソースユニットが繰り返し送信される回数が大きい場合であっても、合成されるリソースユニット間のチャネル変動量を抑えることができる。これにより、例えばセル端などにおいて、チャネル推定に用いる参照信号のＳＮＲを確保することが可能になり、その結果、カバレッジ拡張が実現されることになる。
【００６２】
また、繰り返し送信方法（その２）では、ユーザ装置ＵＥは、繰り返し送信方法（その１）のように必ずしも基地局ｅＮＢから送信される全てのリソースユニットの信号を受信する必要はなく、ＤＣＩ又はＴＢが受信（取得）出来た時点で、それ以後のサブフレームで送信されるリソースユニットの信号の受信を中止することが可能である。これにより、基地局ｅＮＢから送信される全てのリソースユニットの信号を受信する必要がある繰り返し送信方法（その１）と比較して、ユーザ装置ＵＥにおける消費電力を抑えることが可能になる。
【００６３】
＜機能構成＞
以上説明した処理手順を実行する基地局ｅＮＢ及びユーザ装置ＵＥの機能構成例について説明する。なお、本実施の形態に係る基地局ｅＮＢ及びユーザ装置ＵＥは、上述の「繰り返し送信方法（その１）」及び「繰り返し送信方法（その２）」の両方をサポートしていてもよいし、いずれか一方のみをサポートしていてもよい。また、ユーザ装置ＵＥは、どちらの繰り返し送信方法で動作するのかを、例えば基地局ｅＮＢからの指示により任意に切替えられるようにしてもよい。
【００６４】
（基地局ｅＮＢ）
図９は、実施の形態に係る基地局の機能構成例を示す図である。図９に示すように、基地局ｅＮＢは、信号送信部１０１と、信号受信部１０２と、繰返し数通知部１０３と、送信信号生成部１０４とを有する。図９は、基地局ｅＮＢにおいて本発明の実施の形態に特に関連する機能部のみを示すものであり、少なくともＬＴＥに準拠した動作を行うための図示しない機能も有するものである。また、図９に示す機能構成は一例に過ぎない。本実施の形態に係る動作を実行できるのであれば、機能区分や機能部の名称はどのようなものでもよい。
【００６５】
信号送信部１０１は、送信信号生成部１０４により生成された信号から無線信号を生成し、無線送信する機能を含む。信号受信部１０２は、ユーザ装置ＵＥから各種の信号を無線受信し、受信した物理レイヤの信号からより上位のレイヤの信号を取得する機能を含む。
【００６６】
信号送信部１０１及び信号受信部１０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している（ただし、これに限られるわけではない）。
【００６７】
繰返し数通知部１０３は、「繰り返し送信方法を示す情報」を、例えばＲＲＣ又は報知情報を用いてユーザ装置ＵＥに通知する。
【００６８】
送信信号生成部１０４は、基地局ｅＮＢから送信されるべき上位のレイヤの信号から、下位レイヤの各種信号を生成し、生成された各種信号が所定のリソース（リソースエレメント）にマッピングされた信号を生成して信号送信部１０１に渡す。なお、信号送信部１０１の中に送信信号生成部１０４を備えてもよい。
【００６９】
また、送信信号生成部１０４は、時間方向に複数のリソースユニットを含む下り物理制御チャネル又は下り物理共有チャネルであって、当該複数のリソースユニットの各々の信号が、"ＤＣＩ又はＴＢがマッピングされる複数のリソースユニットの各々の信号が繰り返し送信される回数"分まとめて繰り返されている下り物理制御チャネル又は下り物理共有チャネルの信号を生成するようにしてもよい。
【００７０】
また、送信信号生成部１０４は、時間方向に複数のリソースユニットを含む下り物理制御チャネル又は下り物理共有チャネルであって、当該複数のリソースユニットの各々の信号が、「Ｘ」の数分まとめて繰り返されており、かつ、"ＤＣＩ又はＴＢがマッピングされる複数のリソースユニットの各々の信号が繰り返し送信される回数"分の複数のリソースユニットの各々の信号を含む下り物理制御チャネル又は下り物理共有チャネルの信号を生成するようにしてもよい。
【００７１】
（ユーザ装置）
図１０は、実施の形態に係るユーザ装置の機能構成例を示す図である。図１０に示すように、ユーザ装置ＵＥは、信号送信部２０１と、信号受信部２０２と、繰返し数取得部２０３とを有する。図１０は、ユーザ装置ＵＥにおいて本発明の実施の形態に特に関連する機能部のみを示すものであり、少なくともＬＴＥに準拠した動作を行うための図示しない機能も有するものである。また、図１０に示す機能構成は一例に過ぎない。本実施の形態に係る動作を実行できるのであれば、機能区分や機能部の名称はどのようなものでもよい。
【００７２】
信号送信部２０１は、ユーザ装置ＵＥから送信されるべき各種信号を生成し、無線送信する機能を有する。信号受信部２０２は、基地局ｅＮＢから各種の無線信号を受信する機能を有する。信号送信部２０１及び信号受信部２０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している（ただし、これに限られるわけではない）。
【００７３】
また、信号受信部２０２は、時間方向に複数のリソースユニットを含む下り物理制御チャネル又は下り物理共有チャネルであって、当該複数のリソースユニットの各々の信号が、"ＤＣＩ又はＴＢがマッピングされる複数のリソースユニットが繰り返し送信される回数"分まとめて繰り返されている下り物理制御チャネル又は下り物理共有チャネルを受信すると共に、当該繰り返し送信される回数に該当する複数の連続するリソースユニットの信号を合成して復調を行うことで、ＤＣＩ又はＴＢを受信（取得）するようにしてもよい。
【００７４】
また、信号受信部２０２は、時間方向に複数のリソースユニットを含む下り物理制御チャネル又は下り物理共有チャネルであって、当該複数のリソースユニットの各々の信号が、「Ｘ」の数分まとめて繰り返されており、かつ、"ＤＣＩ又はＴＢがマッピングされる複数のリソースユニットが繰り返し送信される回数"分の複数のリソースユニットの各々の信号を含む下り物理制御チャネル又は下り物理共有チャネルの信号を受信すると共に、「Ｘ」の数に該当する複数の連続するリソースユニットの信号を合成して復調を行うことで、ＤＣＩ又はＴＢを受信（取得）するようにしてもよい。
【００７５】
また、信号受信部２０２は、合成されたリソースユニットの信号に含まれる参照信号を用いてチャネル推定を行うことで、合成されたリソースユニットの信号の復調を行う。
【００７６】
繰返し数取得部２０３は、基地局ｅＮＢ又はユーザ装置ＵＥ自身のメモリから、「繰り返し送信方法を示す情報」を取得する。
【００７７】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００７８】
（基地局）
図１１は、実施の形態に係る基地局のハードウェア構成例を示す図である。図１１は、図９よりも実装例に近い構成を示している。図１１に示すように、基地局ｅＮＢは、無線信号に関する処理を行うＲＦ（Radio Frequency）モジュール３０１と、ベースバンド信号処理を行うＢＢ（Base Band）処理モジュール３０２と、上位レイヤ等の処理を行う装置制御モジュール３０３と、ネットワークと接続するためのインタフェースである通信ＩＦ３０４とを有する。
【００７９】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図９に示す信号送信部１０１及び信号受信部１０２の一部を含む。
【００８０】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図９に示す信号送信部１０１の一部、信号受信部１０２の一部及び送信信号生成部１０４を含む。
【００８１】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図９に示す繰返し数通知部１０３を含む。
【００８２】
（ユーザ装置）
図１２は、実施の形態に係るユーザ装置のハードウェア構成例を示す図である。図１２は、図１０よりも実装例に近い構成を示している。図１２に示すように、ユーザ装置ＵＥは、無線信号に関する処理を行うＲＦモジュール４０１と、ベースバンド信号処理を行うＢＢ処理モジュール４０２と、上位レイヤ等の処理を行うＵＥ制御モジュール４０３とを有する。
【００８３】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図１０に示す信号送信部２０１及び信号受信部２０２の一部を含む。
【００８４】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１０に示す信号送信部２０１の一部及び信号受信部２０２の一部を含む。
【００８５】
ＵＥ制御モジュール４０３は、ＩＰレイヤのプロトコル処理、各種アプリケーションの処理等を行う。プロセッサ４１３は、ＵＥ制御モジュール４０３が行う処理を行うプロセッサである。メモリ４２３は、プロセッサ４１３のワークエリアとして使用される。ＵＥ制御モジュール４０３は、例えば、図１０に示す繰返し数取得部２０３を含む。
【００８６】
＜まとめ＞
以上、実施の形態によれば、狭帯域で通信する無線通信システムにおいて、所定の単位のリソースを時間方向に複数含む下り物理制御チャネル又は下り物理共有チャネルを用いて基地局と通信するユーザ装置であって、複数のリソースの各々が時間方向にまとめて繰り返し送信される回数を示す繰り返し回数を取得する取得部と、前記基地局から、複数のリソースの各々が前記繰り返し回数分まとめて繰り返されている下り物理制御チャネル又は下り物理共有チャネルを受信すると共に、前記繰り返し回数に該当する複数の連続するリソースの信号を合成して復調を行う受信部と、を有するユーザ装置が提供される。このユーザ装置ＵＥにより、ＭＴＣにおけるカバレッジ拡張を実現することが可能な技術が提供される。
【００８７】
また、実施の形態によれば、狭帯域で通信する無線通信システムにおいて、所定の単位のリソースを時間方向に複数含む下り物理制御チャネル又は下り物理共有チャネルを用いて基地局と通信するユーザ装置であって、複数のリソースの各々が時間方向に繰り返し送信される回数を示す繰り返し回数と、所定のリソース数を示す情報とを取得する取得部と、前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信すると共に、前記所定のリソース数に該当する複数の連続するリソースの信号を合成して復調を行う受信部と、を有するユーザ装置が提供される。このユーザ装置ＵＥにより、ＭＴＣにおけるカバレッジ拡張を実現することが可能な技術が提供される。
【００８８】
また、下り物理制御チャネル又は下り物理共有チャネルを構成する前記複数のリソースには参照信号がマッピングされ、前記受信部は、合成されたリソースの信号に含まれる参照信号を用いてチャネル推定を行うことで復調を行うようにしてもよい。これにより、ユーザ装置ＵＥは、チャネル推定に必要な参照信号のＳＮＲを確保することが可能になる。
【００８９】
また、前記狭帯域は１８０ｋＨｚ以下の周波数帯域であり、前記リソースは、１以上のサブフレーム若しくは１以上のスロット、及び１以上１２以下のサブキャリアで構成されるリソースであってもよい。
【００９０】
また、実施の形態によれば、帯域で通信する無線通信システムにおいて、所定の単位のリソースを時間方向に複数含む下り物理制御チャネル又は下り物理共有チャネルを用いてユーザ装置と通信する基地局であって、複数のリソースの各々が、所定の回数分まとめて繰り返されている下り物理制御チャネル又は下り物理共有チャネルを生成する生成部と、生成された前記下り物理制御チャネル又は下り物理共有チャネルを前記ユーザ装置に送信する送信部と、を有する基地局が提供される。この基地局ｅＮＢにより、ＭＴＣにおけるカバレッジ拡張を実現することが可能な技術が提供される。
【００９１】
また、実施の形態によれば、狭帯域で通信する無線通信システムにおいて、所定の単位のリソースを時間方向に複数含む下り物理制御チャネル又は下り物理共有チャネルを用いてユーザ装置と通信する基地局であって、複数のリソースの各々が所定のリソース数分まとめて繰り返されており、かつ、所定の繰り返し回数分の前記複数のリソースの各々を含む下り物理制御チャネル又は下り物理共有チャネルを生成する生成部と、生成された前記下り物理制御チャネル又は下り物理共有チャネルを前記ユーザ装置に送信する送信部と、を有する基地局が提供される。この基地局ｅＮＢにより、ＭＴＣにおけるカバレッジ拡張を実現することが可能な技術が提供される。
【００９２】
また、実施の形態によれば、狭帯域で通信する無線通信システムにおいて、所定の単位のリソースを時間方向に複数含む下り物理制御チャネル又は下り物理共有チャネルを用いて基地局と通信するユーザ装置が実行する信号受信方法であって、複数のリソースの各々が時間方向にまとめて繰り返し送信される回数を示す繰り返し回数を取得するステップと、前記基地局から、複数のリソースの各々が前記繰り返し回数分まとめて繰り返されている下り物理制御チャネル又は下り物理共有チャネルを受信すると共に、前記繰り返し回数に該当する複数の連続するリソースの信号を合成して復調を行うステップと、を有する信号受信方法が提供される。この信号受信方法により、ＭＴＣにおけるカバレッジ拡張を実現することが可能な技術が提供される。
【００９３】
また、実施の形態によれば、帯域で通信する無線通信システムにおいて、所定の単位のリソースを時間方向に複数含む下り物理制御チャネル又は下り物理共有チャネルを用いて基地局と通信するユーザ装置が実行する信号受信方法であって、複数のリソースの各々が時間方向に繰り返し送信される回数を示す繰り返し回数と、所定のリソース数を示す情報とを取得するステップと、前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信すると共に、前記所定のリソース数に該当する複数の連続するリソースの信号を合成して復調を行うステップと、を有する信号受信方法が提供される。この信号受信方法により、ＭＴＣにおけるカバレッジ拡張を実現することが可能な技術が提供される。
【００９４】
また、実施の形態によれば、狭帯域で通信する無線通信システムにおいて、所定の単位のリソースを時間方向に複数含む下り物理制御チャネル又は下り物理共有チャネルを用いてユーザ装置と通信する基地局が実行する信号送信方法であって、複数のリソースの各々が、所定の回数分まとめて繰り返されている下り物理制御チャネル又は下り物理共有チャネルを生成するステップと、生成された前記下り物理制御チャネル又は下り物理共有チャネルを前記ユーザ装置に送信するステップと、を有する信号送信方法が提供される。この信号送信方法により、ＭＴＣにおけるカバレッジ拡張を実現することが可能な技術が提供される。
【００９５】
また、実施の形態によれば、帯域で通信する無線通信システムにおいて、所定の単位のリソースを時間方向に複数含む下り物理制御チャネル又は下り物理共有チャネルを用いてユーザ装置と通信する基地局が実行する信号送信方法であって、複数のリソースの各々が所定のリソース数分まとめて繰り返されており、かつ、所定の繰り返し回数分の前記複数のリソースの各々を含む下り物理制御チャネル又は下り物理共有チャネルを生成するステップと、生成された前記下り物理制御チャネル又は下り物理共有チャネルを前記ユーザ装置に送信するステップと、を有する信号送信方法が提供される。この信号送信方法により、ＭＴＣにおけるカバレッジ拡張を実現することが可能な技術が提供される。
【００９６】
＜実施形態の補足＞
下り物理制御チャネル又は下り物理共有チャネルを受信することは、下り物理制御チャネルの信号又は下り物理共有チャネルの信号を受信すると表現されてもよい。
【００９７】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９９】
なお、実施の形態において、ユーザ装置ＵＥがチャネル推定を行うために用いる（合成する）リソース数は、「所定のリソース数を示す情報」の一例である。リソースユニットは「所定の単位のリソース」及び「リソース」の一例である。
【０１００】
［付記１］
狭帯域で通信する無線通信システムにおいて、所定の単位のリソースを時間方向に複数含む下り物理制御チャネル又は下り物理共有チャネルを用いて基地局と通信するユーザ装置であって、
複数のリソースの各々が時間方向にまとめて繰り返し送信される回数を示す繰り返し回数を取得する取得部と、
前記基地局から、複数のリソースの各々が前記繰り返し回数分まとめて繰り返されている下り物理制御チャネル又は下り物理共有チャネルを受信すると共に、前記繰り返し回数に該当する複数の連続するリソースの信号を合成して復調を行う受信部と、
を有するユーザ装置。
［付記２］
狭帯域で通信する無線通信システムにおいて、所定の単位のリソースを時間方向に複数含む下り物理制御チャネル又は下り物理共有チャネルを用いて基地局と通信するユーザ装置であって、
複数のリソースの各々が時間方向に繰り返し送信される回数を示す繰り返し回数と、所定のリソース数を示す情報とを取得する取得部と、
前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信すると共に、前記所定のリソース数に該当する複数の連続するリソースの信号を合成して復調を行う受信部と、
を有するユーザ装置。
［付記３］
下り物理制御チャネル又は下り物理共有チャネルを構成する前記複数のリソースには参照信号がマッピングされ、
前記受信部は、合成されたリソースの信号に含まれる参照信号を用いてチャネル推定を行うことで復調を行う、
付記１又は２に記載のユーザ装置。
［付記４］
前記狭帯域は１８０ｋＨｚの周波数帯域であり、
前記リソースは、１以上のサブフレーム若しくは１以上のスロット、及び１以上１２以下のサブキャリアで構成されるリソースである、
付記１乃至３のいずれかひとつに記載のユーザ装置。
［付記５］
狭帯域で通信する無線通信システムにおいて、所定の単位のリソースを時間方向に複数含む下り物理制御チャネル又は下り物理共有チャネルを用いてユーザ装置と通信する基地局であって、
複数のリソースの各々が、所定の回数分まとめて繰り返されている下り物理制御チャネル又は下り物理共有チャネルを生成する生成部と、
生成された前記下り物理制御チャネル又は下り物理共有チャネルを前記ユーザ装置に送信する送信部と、
を有する基地局。
［付記６］
狭帯域で通信する無線通信システムにおいて、所定の単位のリソースを時間方向に複数含む下り物理制御チャネル又は下り物理共有チャネルを用いてユーザ装置と通信する基地局であって、
複数のリソースの各々が所定のリソース数分まとめて繰り返されており、かつ、所定の繰り返し回数分の前記複数のリソースの各々を含む下り物理制御チャネル又は下り物理共有チャネルを生成する生成部と、
生成された前記下り物理制御チャネル又は下り物理共有チャネルを前記ユーザ装置に送信する送信部と、
を有する基地局。
［付記７］
狭帯域で通信する無線通信システムにおいて、所定の単位のリソースを時間方向に複数含む下り物理制御チャネル又は下り物理共有チャネルを用いて基地局と通信するユーザ装置が実行する信号受信方法であって、
複数のリソースの各々が時間方向にまとめて繰り返し送信される回数を示す繰り返し回数を取得するステップと、
前記基地局から、複数のリソースの各々が前記繰り返し回数分まとめて繰り返されている下り物理制御チャネル又は下り物理共有チャネルを受信すると共に、前記繰り返し回数に該当する複数の連続するリソースの信号を合成して復調を行うステップと、
を有する信号受信方法。
［付記８］
狭帯域で通信する無線通信システムにおいて、所定の単位のリソースを時間方向に複数含む下り物理制御チャネル又は下り物理共有チャネルを用いて基地局と通信するユーザ装置が実行する信号受信方法であって、
複数のリソースの各々が時間方向に繰り返し送信される回数を示す繰り返し回数と、所定のリソース数を示す情報とを取得するステップと、
前記基地局から、複数のリソースの各々が前記所定のリソース数分まとめて繰り返されており、かつ、前記繰り返し回数分の前記複数のリソースの各々を含む下り物理制御チャネル又は下り物理共有チャネルを受信すると共に、前記所定のリソース数に該当する複数の連続するリソースの信号を合成して復調を行うステップと、
を有する信号受信方法。
［付記９］
狭帯域で通信する無線通信システムにおいて、所定の単位のリソースを時間方向に複数含む下り物理制御チャネル又は下り物理共有チャネルを用いてユーザ装置と通信する基地局が実行する信号送信方法であって、
複数のリソースの各々が、所定の回数分まとめて繰り返されている下り物理制御チャネル又は下り物理共有チャネルを生成するステップと、
生成された前記下り物理制御チャネル又は下り物理共有チャネルを前記ユーザ装置に送信するステップと、
を有する信号送信方法。
［付記１０］
狭帯域で通信する無線通信システムにおいて、所定の単位のリソースを時間方向に複数含む下り物理制御チャネル又は下り物理共有チャネルを用いてユーザ装置と通信する基地局が実行する信号送信方法であって、
複数のリソースの各々が所定のリソース数分まとめて繰り返されており、かつ、所定の繰り返し回数分の前記複数のリソースの各々を含む下り物理制御チャネル又は下り物理共有チャネルを生成するステップと、
生成された前記下り物理制御チャネル又は下り物理共有チャネルを前記ユーザ装置に送信するステップと、
を有する信号送信方法。
【符号の説明】
【０１０１】
ＵＥ    ユーザ装置
ｅＮＢ  基地局
１０１  信号送信部
１０２  信号受信部
１０３  繰返し数通知部
１０４  送信信号生成部
２０１  信号送信部
２０２  信号受信部
２０３  繰返し数取得部
３０１  ＲＦモジュール
３０２  ＢＢ処理モジュール
３０３  装置制御モジュール
３０４  通信ＩＦ
４０１  ＲＦモジュール
４０２  ＢＢ処理モジュール
４０３  ＵＥ制御モジュール
【図１】
2018057050.tif 000003
【図２】
2018057050.tif 000004
【図３】
2018057050.tif 000005
【図４】
2018057050.tif 000006
【図５】
2018057050.tif 000007
【図６】
2018057050.tif 000008
【図７】
2018057050.tif 000009
【図８】
2018057050.tif 000010
【図９】
2018057050.tif 000011
【図１０】
2018057050.tif 000012
【図１１】
2018057050.tif 000013
【図１２】
2018057050.tif 000014